(57)【特許請求の範囲】
【請求項１】
五本指靴下底面の外面もしくは内面の中足骨部又は踵部あるいは両部位に
弾性を有する保護用パッド部材を貼着し、各人の足裏患部に対応する箇所に前
記靴下と保護用パッド部材共に貫通して開口部を形成し、前記開口部の周りの
前記靴下と保護用パッド部材にて前記患部を囲うことを特徴とする保護用パ
ッド付き靴下の使用方法。
【発明の詳細な説明】
【技術分野】
【０００１】
本発明は、足裏に出来たタコや魚の目、底まめ、傷、腫れ物などの痛みを軽減する為に考案された保護用パッド付き靴下に関する。          
【背景技術】
【０００２】
従来、足裏に出来たタコや魚の目などの痛みを軽減する為に、ハサミで切ったり、カミソリで削ったりする。
【０００３】
薬局でサルチル酸を含んだ絆創膏が保護用パッド付きで市販されている。
【０００４】
カタログやネット通販でタコや魚の目対策用の衝撃緩和グッズを取り寄せる方法もある。
【０００５】
各人に合わせて靴の中敷きを作る方法もある。
【先行技術文献】
【特許文献】
【０００６】
【特許文献１】特開２００５−０７３９８１号公報
【特許文献２】特開２０００−１０６９０７号公報
【特許文献３】実用新案  平２−１６７４１号公報
【発明の概要】
【発明が解決しようとする課題】
【０００７】
足裏に出来たタコや魚の目などをハサミやカミソリで切り取るが、数週間後には再び角質が硬くなり魚の目などは根を深めつつ表面にも出る。また薬局で購入出来るサルチル酸配合の絆創膏は患部にかかる圧力保護のため保護用パッド付きであるが、該パッドは歩行時の体重移動による足裏と体重圧により擦れてズレを生じ、絆創膏と共に患部から外れ保護にならない。その上、ズレた絆創膏が正常な皮膚をも白く軟化させ健康な皮膚までが剥がれて痛みを生じる。また該パッドは患部の大きさに適合しない場合がある。
【０００８】
カタログやネット通販されているタコや魚の目、底まめなどの対策用グッズは半透明のエラストマーやナイロン、ポリウレタン等の材質で足裏中足骨部の衝撃緩和を意図している。装着には該グッズの一部に足指を通す為に施された同材質の輪形状のものが一箇所又は二箇所設けられている。しかし歩行時の汗や体重圧によりズレや蒸れを生じ、装着の為に通した足指にかかる負担が大きく、足指周りの皮膚がめくれて腫れ、新たな故障を引き起こす。また装着が鼻緒状になった患部衝撃緩和グッズもあるが、前記と同じく長時間の装着には鼻緒ズレ様の二次的な故障を引き起こすことがある。
【０００９】
健康靴を扱う店などで中敷きを作るのは高価である。外出先のＴＰＯに合わせてパンプス、スニーカーなど数種類を誂えるには大きな出費となる。しかも日本の一般家屋では靴のまま畳やフローリング内には入室できず高額な出費も外出時のみの限られたものとなる。
【００１０】
特許文献１の「履物および履物用中敷」及び特許文献２の「足底板構造」は、いわゆる履物用中敷に類するものであって、靴を脱いで入室する日本の一般家屋内では適応不可である。よって意図するところが本発明と異なる。特許文献３の実用新案「足裏パッド」は『足裏パッド本体の全面に、均一な切り抜き可能な切り抜き片が形成され、該パッド本体の下面側から指で押し上げると、その部分が切り込みを介して角錐台形状に切り抜き片が切り抜かれる。』との記載であるが、指で押し上げるのみで抜き取れる切り抜き片であれば、歩行時の体重移動による足裏と体重圧により、こすれて必要としない部分の切込みまでが外れ易くなる可能性が大きい。また患部が切り抜き片の位置と合致しない場合、或いは患部が大きく、切り抜き片の複数箇所をまたぐ場合は抜き取られた切り抜き片の境目が歩行時の体重圧により患部にこすれて痛みを生じる。次に『靴下を履くことによって足の裏に装着された状態に保持される。』と記載されているが、靴下を履くための装着の記載が無く、足と足裏パッドを接着テープ等で固定してから靴下を履くのか、或いは足裏パッドを最初に靴下に挿入しておいてから後、足を入れるのか等の記載が無く、いずれにしても足裏パッドと共に靴下を履くことは労を要する。
【課題を解決するための手段】
【００１１】
歩くと痛いタコや魚の目、底まめ、傷、腫れ物などによる足裏にかかる痛みを
軽減する為に、本発明は、五本指靴下底面の外面もしくは内面の中足骨部又は踵
部に、あるいは両部位に弾性を有する保護用パッド部材を貼着し、各人の足裏患
部に対応する箇所に前記靴下と保護用パッド部材共に貫通して開口部を形成し、
前記開口部の周りの前記靴下と保護用パッド部材にて前記患部を囲うことを特
徴とする保護用パッド付き靴下の使用方法を提供する。
【００１２】
本発明は、前記靴下を装着し患部に印を付け、その部位に靴下と保護用パッド部材共に貫通するように開口し、該開口部の周りの靴下と保護用パッド部材が患部の周囲を囲う形状により、患部を圧迫から保護する事を特徴とするタコや魚の目、底まめ、傷、腫れ物などの保護用パッド付き靴下である。保護用パッド部材は各々合成をも含む繊維、ゴム、樹脂、皮革などを用いて、靴下に貼着することにより、靴下とパッド部材の一部をハサミ等で開口しても靴下およびパッド部材にほつれ等を生じない。また歩行中のズレ防止、また指にかかる圧力分散の為、保護用パッド部材は５本指靴下への貼着が望ましい。
【発明の効果】
【００１３】
足裏に出来たタコや魚の目、底まめ、傷、腫れ物などの痛みを軽減する為に、本発明の保護用パッド付き靴下を装着し、各人の患部や部位の大きさに合わせて印を付け、その部位を靴下と保護用パッド部材を貫通して開口する事により開口部の周りが患部を囲う形状となって、患部を圧迫から保護するパッドの役目を果たし、痛みが軽減される。患部への圧迫が緩和軽減されるため、再発防止につながる。
【００１４】
保護用パッド付き靴下は、各人の疾患部位及び大きさに対応し、複数箇所の疾患保護も可能である。
【００１５】
保護用パッド付き靴下は装着が簡単。
また該靴下を装着したままでも靴の脱着が簡単。
足裏が見えると困る場所では靴下を重ね履きしてもかさばらず、違和感がない。
【００１６】
一部の足指や部位に負担をかける事がない為、二次的な故障が起こりにくい。
【００１７】
靴の中敷きを誂えると高額になるが、本発明の靴下は、安価でしかも畳やフローリングへの入室も可能となり室内での歩行も楽になる。
【図面の簡単な説明】
【００１８】
【図１】本発明に係る実施例１の保護用パッド付き靴下の貫通形成前の底面図
【図２】図１の靴下に貫通口を形成し、足に装着した状態を示す図であり、（ａ）は底面図、（ｂ）はＡ―Ａ’線断面図
【図３】本発明に係る実施例２の靴下に貫通口を形成し、足に装着した状態を示す図であり、（ａ）は底面図、（ｂ）はＢ―Ｂ’線断面図
【発明を実施するための形態】
【００１９】
実施例１についての靴下を説明する。
図１は靴下１の靴下底面３の中足骨部周辺及び踵部の外面に弾性を有する保護用パッド部材４、５を貼着した保護用パッド付き靴下１１を示したものである。
【００２０】
保護用パット部材４、５は例えば１mm〜２mmの厚みを有する繊維、ゴム、樹脂、皮革（各々合成をも含む）等とし適度の弾性と伸縮性をも有するものが望ましい。  
【００２１】
保護用パッド付き靴下１１の使用状況を図２に示す。保護用パッド付き靴下１１を足２に装着したのち、各人の足２の患部６、７及びその部位の大きさに合わせて保護用パッド部材４、５の一部に患部６、７の位置を印し、この患部６、７部分の靴下１と該パッド部材４、５をハサミ等で貫通させて開口６１、７１する。なお、この開口６１、７１は保護用パッド付き靴下１１を足２から脱いで形成するのがやりやすい。図２に示すように開口６１、７１の周りが患部６、７の周囲を囲う形状となり、患部６、７を圧迫から保護する。該靴下１１はハサミ等で切り抜いても該パッド部材４、５が貼着されている事により該靴下１１および該パッド部材４、５にほつれを生じない。
【００２２】
上記靴下１１は、歩行中のズレ防止、また指にかかる圧力分散の為、図１、図２に示すごとく５本指靴下を使用するのが望ましい。なお、該パッド部材４、５を別体ではなく足裏全体を覆うものとしてもよい。
【００２３】
実施例２についての靴下を図３にて説明する。
この実施例２は靴下底面３の中足骨部周辺及び踵部の内面に弾性を有する保護用パッド部材４１、５１を貼着した保護用パッド付き靴下１２を使用したものである。
この場合は、靴下１を裏返した状態でパッド部材４１、５１を貼着すればよい。
【００２４】
保護用パット部材４１、５１は例えば１mm〜２mmの厚みを有する繊維、ゴム、樹脂、皮革（各々合成をも含む）等とし適度の弾性と伸縮性をも有するものが望ましい。  
【００２５】
実施例１と同様に保護用パッド付き靴下１２を装着したのち、各人の患部６、７
及び部位の大きさに合わせて該パッド部材４１、５１の貼着された靴下底面３に患部６、７位置を印し、この患部６、７部分の靴下１と保護用パッド部材４１、５１をハサミ等で貫通させて開口６１、７１する。図３に示すように開口６１、７１の周りが患部６、７の周囲を囲う形状となり、患部６、７を圧迫から保護する。該靴下１２はハサミ等で切り抜いても該パッド部材４１、５１が貼着されている事によりほつれを生じない。
【００２６】
該靴下１２は、歩行中のズレ防止、また指にかかる圧力分散の為、図３に示す通り５本指靴下を使用するのが望ましい。
なお、該パッド部材４１、５１を別体ではなく足裏全体を覆うものとしてもよい。
【００２７】
本発明の保護用パッド付き靴下１１、１２は、安価であるとともに繰り返しの洗濯が可能であり、常に清潔である。また畳やフローリングへの入室が可能で靴下の重ね履きをしてもかさばらない。
【符号の説明】
【００２８】
１  靴下
２  足
３  靴下底面
４  中足骨部  外面保護用パッド部材  
５  踵部  外面保護用パッド部材  
６  患部（中足骨部）
７  患部（踵部）
１１  外面貼着  保護用パッド付き靴下  
１２  内面貼着  保護用パッド付き靴下
４１  中足骨部  内面保護用パッド部材  
５１  踵部  内面保護用パッド部材  
６１  中足骨部  患部圧迫軽減開口部
７１  踵部  患部圧迫軽減開口部
【要約】      （修正有）【課題】歩くと痛いタコや魚の目、底まめ、傷、腫れ物などによる足裏にかかる痛みを軽減する為の靴下を提供する。【解決手段】タコや魚の目、底まめ、傷、腫れ物などによる足裏にかかる痛みを軽減するために、靴下底面３の外面もしくは内面の中足骨部又は踵部あるいは両部位に弾性を有する繊維、ゴム、樹脂、皮革（各々合成を含む）などの保護用パッド部材４，５が貼着され、各人の足裏患部６，７に対応する箇所に靴下１と保護用パッド部材に貫通形成の開口６１，７１を設ける。【選択図】図２【図１】
0005578636.tif 000002
【図２】
0005578636.tif 000003
【図３】
0005578636.tif 000004